(57)【要約】【課題】アナログ放送からデジタル放送への移行期にデジタル放送で新規に使用する周波数をデジタル放送受信機に知らせ、デジタル放送受信機は、その新規の周波数の電波を受信できるデータ送受信方法及びその受信装置を提供する。【解決手段】送信側から新規周波数と変更時刻を記述した周波数変更情報を送出し、受信側で周波数変更情報を抽出し、変更時刻に新規周波数を受信に使用する周波数に設定する。【選択図】図１
2004312775.tif 000002
【特許請求の範囲】
【請求項１】
第１の物理チャネルから変更される第２の物理チャネルを用いてトランスポート・ストリームが送信されるときの前記第2の物理チャネルの番号を前記第１の物理チャネルを用いて送信することを特徴とする送信機。
【請求項２】
前記第１の物理チャネルは、前記第1の物理チャネルから前記第２への変更前に、地上波デジタル放送で使用する物理チャネルであることを特徴とする請求項１記載の送信機。
【請求項３】
前記第２の物理チャネルは、前記第1の物理チャネルから前記第２への変更前に、アナログ放送と地上波デジタル放送とを除くもの又はアナログ放送又は地上波デジタル放送で使用している物理チャネルであることを特徴とする請求項１記載の送信機。
【請求項４】
第１の物理チャネルから変更される第２の物理チャネルを用いてトランスポート・ストリームが送信されるときの前記第2の物理チャネルの番号を前記第１の物理チャネルを用いて送信することを特徴とする送信方法。
【請求項５】
前記第１の物理チャネルは、前記第1の物理チャネルから前記第２への変更前に、地上波デジタル放送で使用する物理チャネルであることを特徴とする請求項４記載の送信方法。
【請求項６】
前記第２の物理チャネルは、前記第1の物理チャネルから前記第２への変更前に、アナログ放送と地上波デジタル放送とを除くもの又はアナログ放送又はデジタル放送で使用している物理チャネルであることを特徴とする請求項４記載の送信方法。
【請求項７】
第１の物理チャネルから変更される第２の物理チャネルを用いてトランスポート・ストリームが送信されるときの前記第2の物理チャネルの番号を前記第１の物理チャネルを用いて送信するためのプログラム。
【発明の詳細な説明】
【技術分野】
【０００１】
本発明は、データ送受信システムにおいて、伝送周波数の変更または追加に対応し、受信周波数の変更を行うデータ送受信方法及び、その受信装置に関するものである。
【背景技術】
【０００２】
現在、世界的にテレビ放送のデジタル化が急速に進展しつつある。日本国内においても１９９６年に通信衛星（ＣＳ）を使ったデジタル放送が開始され、２０００年には放送衛星（ＢＳ）を使ったデジタル放送が開始される予定である。これらの衛星放送受信機では、使用する周波数はあらかじめ決められており、受信機では、これらの物理チャネル番号（衛星でいえばトランスポンダ番号）と受信周波数の対応リストをあらかじめメモリなどに格納しておき、これに基づいて、物理チャネルの切り替えを行っている（例えば特許文献１参照。）。
【特許文献１】特開平９−３１２５５０号公報
【発明の開示】
【発明が解決しようとする課題】
【０００３】
一方、地上波放送もデジタル化され、２００３年にはサービスが開始される予定で、２０１０年には現在のアナログ放送が廃止される予定である。地上波デジタル放送は、サービス開始当初、現在のアナログ放送の空きチャネルを使って放送される。さらに、現在アナログ放送で使用されている周波数もアナログ放送廃止後、順次デジタルに割り当てられていくという、周波数の再割当てが行われることが予想される。また新規にデジタル放送に周波数が追加される可能性もある。
【０００４】
周波数の再割当てや追加は時系列的に、順次行われる可能性が大きく、初期のデジタル放送受信機の出荷時から受信機のメモリ等に再割当てや追加される周波数を格納しておくのは困難である。
【０００５】
したがって、送信側は周波数の再割当てや追加が行う場合に、それをデジタル放送受信機側に知らせ、受信機側では、周波数再割当てや追加に対して即座に対応して新たな周波数の放送を受信できる必要がある。
【０００６】
本発明は、かかる問題点を解消するためになされたもので、アナログ放送からデジタル放送の移行期において、デジタル放送受信機側に周波数の再割当てや周波数の追加を通知し、受信機側でそれらの変更に対応できるデータ送受信方法及びその受信装置を提供することを目的とする。
【課題を解決するための手段】
【０００７】
本発明の送信機は、第１の物理チャネルから変更される第２の物理チャネルを用いてトランスポート・ストリームが送信されるときの前記第2の物理チャネルの番号を前記第１の物理チャネルを用いて送信することを特徴とするものである。
【０００８】
また、上記第１の物理チャネルは、上記第1の物理チャネルから上記第２への変更前に、地上波デジタル放送で使用する物理チャネルであることを特徴とするものである。
【０００９】
また、上記第２の物理チャネルは、上記第1の物理チャネルから上記第２への変更前に、アナログ放送と地上波デジタル放送とを除くもの又はアナログ放送又は地上波デジタル放送で使用している物理チャネルであることを特徴とするものである。
【００１０】
また、本発明の送信方法は、第１の物理チャネルから変更される第２の物理チャネルを用いてトランスポート・ストリームが送信されるときの前記第2の物理チャネルの番号を前記第１の物理チャネルを用いて送信することを特徴とするものである。
【００１１】
また、上記第１の物理チャネルは、上記第1の物理チャネルから上記第２への変更前に、地上波デジタル放送で使用する物理チャネルであることを特徴とするものである。
【００１２】
また、上記第２の物理チャネルは、上記第1の物理チャネルから上記第２への変更前に、アナログ放送と地上波デジタル放送とを除くもの又はアナログ放送又はデジタル放送で使用している物理チャネルであることを特徴とするものである。
【００１３】
また、本発明のプログラムは第１の物理チャネルから変更される第２の物理チャネルを用いてトランスポート・ストリームが送信されるときの前記第2の物理チャネルの番号を前記第１の物理チャネルを用いて送信するためのものである。
【発明の効果】
【００１４】
本発明にかかる送信機により、デジタル放送への移行期にデジタル放送受信機が周波数変更に対応することができる。
【発明を実施するための最良の形態】
【００１５】
以下、本発明の実施の形態について、図を参照しながら詳細に説明する。
（実施の形態１）
図１は本発明の実施の形態１によるデータ送受信方法における周波数変更情報の伝送方法を示すものである。実施の形態の説明では、デジタル放送システムを例にとって、送信側と受信側に分けて行う。
【００１６】
デジタル放送システムにおいて送信側では、まず映像、音声データはＭＰＥＧ２規格にしたがって高能率符号化及び圧縮が行われ、デジタルのストリームにされる。これに制御データ（ヘッダ）を付加してパケット化され、１パケット＝１８８バイトのトランスポートパケットに多重される。このトランスポートパケットには、ビデオパケットやオーディオパケットに加えて、受信機での番組選局や電子番組表に必要な番組配列情報もパケット化されて多重される。
【００１７】
本発明では、このトランスポートストリームに周波数変更情報を多重する。受信機はこの周波数変更情報を取り込んで、受信周波数の設定変更を行う。本発明の受信機の構成及び動作については後述する。さて本発明の周波数変更情報は、ある時刻から新規に使用する周波数、新規な周波数を使い始める時刻を含む。
【００１８】
周波数変更情報は、例えば、番組配列情報（ＡＲＩＢＳＴＤ−Ｂ１０、「デジタル放送に使用する番組配列情報」平成９年）で規定されているＮＩＴ（Network  Information Table)の記述子(descriptor)に格納する。ここで、ＡＲＩＢで規定されているＮＩＴのデータ構造を図２に示し、本発明の周波数変更情報を格納する記述子の一例を図３に示す。
【００１９】
ＮＩＴの説明については、上記のＡＲＩＢ規格書を参照されたい。ここでは、図３を使って周波数変更情報を格納する記述子の説明をする。この記述子の名称を仮に周波数変更記述子  (frequency_change_descriptor)とする。もちろんこれ以外の名称であっても構  わない。
【００２０】
次に記述子の内容の意味を説明する。descriptor_tag,descriptor_lengthはMPEG2システム規格(ISO/IEC13818-1)で規定された記述子形式に用いられるフィールドである。本発明では記述子に、周波数を変更する時刻として frequency_change_time、新規に使用する周波数として、new_frequencyを格納する。
【００２１】
frequency_change_timeは例えば、ＴＤＴ(Time and Date Table:時刻日付テーブル）で使われる４０ビットのJST_timeを使えばよい。JST_timeの符号化方式については、上記のＡＲＩＢ規格書を参照されたい。
【００２２】
次に本発明の受信装置の構成及び動作を説明する。図４に本発明の受信装置の構成を示す。図４において、１０は電波の受信を行う受信部で電波を受信してビットストリームを出力する。これは、アンテナ、チューナーで構成される。１１は復調部でデジタル変調されたビットストリームを復調し、その後誤り訂正を行い、トランスポートパケットを再生する。１２は多重分離部でビデオパケット、オーディオパケット、番組配列情報、周波数変更情報などが多重されたトランスポートストリームから視聴者が選択した番組や番組配列情報及び、周波数変更情報を含むパケットを抽出するものである。周波数変更情報の抽出については、後程詳細に説明する。１３は映像デコード部で、多重分離部１２で抽出した圧縮されたビデオパケットをデコードする。１４は第一のデジタルアナログ変換部で、デコードされたデジタルビデオデータをアナログ信号に変換するものである。１５は映像表示部で、例えば、ＣＲＴや液晶ディスプレイなどである。１６は音声デコード部で、多重分離部１２で抽出した圧縮されたオーディオパケットをデコードする。１７は第二のデジタルアナログ変換部で、デコードされたデジタルオーディオデータをアナログ信号に変換するものである。１８は音声出力部で、例えばスピーカなどである。１９は制御部で、本発明の受信装置全体の制御をするものである。本発明のポイントは、この制御部にある。制御部１９の構成を詳細に説明する。図５に制御部１９の内部構成を示す。図５において、１０１は周波数変更情報抽出部で、多重分離部１２で抽出した周波数変更情報を含むパケットから周波数変更情報すなわち新規に使用される周波数を抽出するものである。１０２は変更周波数記憶部で、新規に使用する周波数のリストを格納しておくもので、受信装置の電源を切っても情報が失われないように不揮発性メモリなどで実現する必要がある。１０３は変更時刻抽出部で、多重分離部１２で抽出された周波数変更情報を含むパケットから新規に周波数が使用され始める時刻を抽出するものである。
【００２３】
１０４は変更時刻記憶部で、変更時刻を記憶しておくものである。変更時刻記憶部１０４には、受信装置の電源を切っても、記憶した変更時刻を保存するように、不揮発性メモリなどで実現する必要がある。
【００２４】
１０５は時計部で受信装置内の時刻を計時するものである。１０６は比較部で、時計部１０５と変更時刻記憶部１０４に記憶された周波数の変更時刻を比較して一致すれば、ロードイネーブル信号を出力するものである。
【００２５】
１０７は受信周波数記憶部で、受信に使用する周波数と、物理チャネル番号の対応づけがなされるものである。
【００２６】
ここで、物理チャネル番号とは、物理的な周波数と１対１に対応するチャネル番号  を意味する。受信周波数記憶部１０７も不揮発性メモリで構成する必要がある。以上のように構成された、本発明の受信装置について、以下具体的な動作を説明する。
【００２７】
受信部１０、復調部１１の動作は上述したとおりである。ここでは、多重分離部１２及び、制御部の動作について、詳細に述べる。
【００２８】
送信側で周波数変更情報はＮＩＴに多重されて伝送されるものとして説明する。図６に受信装置の処理フローを示す。実施の形態の説明では、周波数変更情報はＮＩＴに多重されているものとして説明する。以下の処理の流れをステップに分けて記す。
【００２９】
ステップ１：多重分離部でＮＩＴを抽出する。
【００３０】
ステップ２：周波数変更情報抽出部１０１でＮＩＴから周波数変更記述子を抽出する。
【００３１】
ステップ３：周波数変更情報抽出部１０１で新規に使用される周波数値を抽出する。
【００３２】
ステップ４：変更周波数記憶部１０２に新規に使用される周波数を記憶する。
【００３３】
ステップ５：変更時刻抽出部１０３で新規周波数の使用開始時刻を抽出する。
【００３４】
ステップ６：変更時刻記憶部１０４で使用開始時刻を記憶する。
【００３５】
ステップ７：時計１０５の計時する時刻と使用開始時刻を比較する。
【００３６】
比較して、時計の時刻が使用開始時刻に到達しない間はステップ７にもどる。一方比較して、時計の時刻が使用開始時刻に到達すれば、ステップ８へ行く。
【００３７】
ステップ８：比較部１０６からロードイネーブル信号を出力し、変更周波数記憶部１０２から使用周波数記憶部１０７に新規に使用される周波数をロードし、使用周波数記憶部に記憶する。
【００３８】
以上のように、本実施の形態によれば、送信側で、新規に使用する周波数と使用を開始する時刻を周波数変更情報記述子に格納し、ＮＩＴに多重して送出して、受信側で、受信、復調、誤り訂正の処理をした後、多重分離部でＮＩＴを抽出するステップと周波数変更情報抽出部で周波数変更記述子を抽出するステップと、周波数変更情報抽出部で新規に使用される周波数を抽出するステップと、変更周波数記憶部に新規周波数を記憶するステップと、変更時刻抽出部で新規周波数に使用開始時刻を抽出するステップと、変更時刻記憶部１０４で使用開始時刻を記憶するステップと、時計の計時する時刻と、使用開始時刻を比較するステップと、時計の時刻が使用開始時刻に到達すれば、比較部１０６からロードイネーブル信号を出力し、変更周波数記憶部から受信周波数記憶部に新規に使用される周波数をロードし、受信周波数記憶部にその周波数を記憶するステップとを備えることで、デジタル放送への移行期に、送信側からデジタル放送受信機に対して、周波数の再割り当てや、周波数の追加を通知し、受信機側がその周波数の変更に対応し、新しい周波数の放送を受信することが可能となる。
【００３９】
なお、本実施の形態では周波数変更情報をＮＩＴに多重したが、ＮＩＴでなく、トランスポートストリームに含まれる番組配列情報に多重してもよいし、ＰＥＳパケットとして多重しても構わないし、ＭＰＥＧでプライベート定義とされている領域に多重しても構わない。また本実施の形態では周波数変更情報を記述子という形式に格納したが、記述子領域に格納せずに、他の形式に格納しても構わない。
（実施の形態２）
次に本発明の実施の形態２について説明する。実施の形態２では周波数変更情報の伝送方法は実施の形態１と同一であるが、周波数変更情報には周波数値を含まず、周波数を変更する時刻のみを含む。図８に実施の形態２における周波数変更記述子を示す。送信側については、実施の形態１の周波数変更記述子の内容以外は同一なので説明は省略する。
【００４０】
受信側については、制御部の構成、動作が  異なるので制御部について説明する。図８に実施の形態２の制御部の構成を示す。実施の形態１と同一のものには同一の符号を付けている。２０１は周波数スキャン部で、受信可能な周波数領域で周波数をスキャンし、受信電力または受信電界強度が極大値を持つ周波数を抽出するものである。
【００４１】
２０２は制御部で比較部での比較結果にしたがって周波数スキャン部２０１を起動するものである。以下実施の形態２の動作を説明する。
【００４２】
実施の形態２においても、送信側で周波数変更情報はＮＩＴに多重されて伝送されるものとして説明する。図９に受信装置の処理フローを示す。以下の処理の流れをステップに分けて記す。
【００４３】
ステップ２１：多重分離部でＮＩＴを抽出する。
【００４４】
ステップ２２：周波数変更情報抽出部１０１でＮＩＴから周波数変更記述子を抽出する。
【００４５】
ステップ２３：変更時刻抽出部１０３で新規周波数の使用開始時刻を抽出する。
【００４６】
ステップ２４：変更時刻記憶部１０４で使用開始時刻を記憶する。
【００４７】
ステップ２５：時計１０５の計時する時刻と使用開始時刻を比較する。
【００４８】
比較してし時計の時刻が使用開始時刻に到達しない間はステップ２５にもどる。一方比較して、時計の時刻が使用開始時刻に到達すれば、ステップ２６へ行く。
【００４９】
ステップ２６：ステップ２５での比較結果が「到達」なら、制御部２０２は周波数スキャン部２０１を起動する。周波数スキャン部２０１は受信電波の電力または電界強度の極大値をもつ周波数を検出する。
【００５０】
ステップ２７：ステップ２６で検出された周波数を受信周波数記憶部１０７に記憶する。
【００５１】
以上のように、本実施の形態によれば、送信側で、新規に周波数の使用を開始する時刻を周波数変更記述子に格納し、ＮＩＴに多重して送出して、受信側で、受信、復調、誤り訂正の処理をした後、多重分離部でＮＩＴを抽出するステップと周波数変更情報抽出部で周波数変更記述子を抽出するステップと、変更周波数記憶部に新規周波数を記憶するステップと、変更時刻抽出部で新規周波数に使用開始時刻を抽出するステップと、変更時刻記憶部１０４で使用開始時刻を記憶するステップと、時計の計時する時刻と、使用開始時刻を比較するステップと、時計の時刻が使用開始時刻に到達すれば、周波数スキャンを行い、受信電力または受信電界強度の極大値をもつ周波数を検出し、受信周波数記憶部にその周波数を記憶するステップとを備えることで、デジタル放送への移行期に、送信側からデジタル放送受信機に対して、周波数の再割り当てや、周波数の追加の行われる時刻を通知し、受信機側がその周波数の変更に対応し、新規の周波数の放送を受信することが可能となる。
【００５２】
なお、本実施の形態では周波数変更情報をＮＩＴに多重したが、ＮＩＴでなく、トランスポートストリームのほかの番組配列情報に多重してもよいし、ＰＥＳパケットとして多重しても構わないし、ＭＰＥＧでプライベート定義とされている領域に多重しても構わない。
【００５３】
また本実施の形態では周波数変更情報を記述子という形式に格納したが、記述子領域に格納せずに、他の形式に格納しても構わない。また、本発明は地上波デジタル放送だけでなく、衛星放送やＣＡＴＶといった他のメディアにも適用可能である。
【００５４】
また、以下に、本発明の送信方法、受信機の構成例を記載する。
【００５５】
本発明のデータ送受信方法は、データの送受信において、伝送周波数を変更または追加する場合に、送信側から送出するデータに変更後または追加の周波数を格納するステップと、前記周波数が格納されたデータを受信側に送出するステップを備えるものが考えられる。
【００５６】
また、データの送受信において、伝送周波数を変更または追加する場合に、送信側から送出するデータに変更後または追加の周波数を格納するステップと、送信側から送出するデータに周波数を変更または追加する時刻を格納するステップと、前記周波数及び前記時刻が格納されたデータを受信側に送出するステップを備えるものも考えられる。
【００５７】
また、データの送受信において、伝送周波数を変更または追加する場合に、送信側から送出するデータに周波数を変更する時刻を格納するステップと、前記周波数及び前記時刻が格納されたデータを受信側に送出するステップを備えたものが考えられる。
【００５８】
また、データ送受信方法において、変更または追加する周波数及び変更時刻の情報をＭＰＥＧトランスポートストリームに多重するものも考えられる。
【００５９】
また、データの送受信において、受信側で、送信側から送信される伝送周波数の変更情報を含むデータを受信するステップと、前記受信データから伝送周波数の変更情報を抽出するステップと、前記抽出した伝送周波数の変更値に基づいて受信周波数の設定を変更するステップを備えるものも考えられる。
【００６０】
また、データの送受信において、受信側で、送信側から送信される伝送周波数の変更値情報を含むデータを受信するステップと、前記受信データから伝送周波数の変更値情報を抽出するステップと、送信側から送信される伝送周波数の変更時刻情報を含むデータを受信するステップと、前記受信データから変更時刻情報を抽出するステップと、抽出した変更時刻に周波数の変更値を設定するステップを備えるものも考えられる。
【００６１】
また、本発明のデータ送受信方法は、データの送受信において、受信側で、送信側から送信される伝送周波数の変更時刻情報を含むデータを受信するステップと、前記受信データから変更時刻情報を抽出するステップと、抽出した変更時刻に、周波数スキャンするステップを備えるものも考えられる。
【００６２】
さらに、本発明にかかる送信データを受信する受信装置の一例としては、受信側で、送信側から送信される伝送周波数の変更情報を含むデータを受信するデータ受信手段と、前記データから伝送周波数の変更情報を抽出する周波数変更情報抽出手段と、前記抽出した伝送周波数の変更情報を格納する変更周波数記憶手段と、所定時間後に変更後の周波数を設定する使用周波数設定手段を備えるものが考えられる。
【００６３】
また、本発明にかかる送信データを受信する受信装置については、受信側で、送信側から送信される伝送周波数の変更情報を含むデータを受信するデータ受信手段と、前記データから伝送周波数の変更情報を抽出する周波数変更情報抽出手段と、前記抽出した伝送周波数の変更情報を格納する変更周波数記憶手段と、送信側から送信される前記受信データから変更時刻情報を抽出する変更時刻抽出部と、前記抽出された変更時刻を格納する変更時刻記憶手段と、受信に使用する受信周波数を記憶する受信周波数記憶手段と、受信側で計時を行う時計手段とを備え、前記変更時刻記憶手段に格納された変更時刻と前記時計手段の時刻を比較して、前記時計手段の時刻が前記変更時刻に到達した場合に前記変更周波数記憶手段に格納された変更後の周波数を前記受信周波数記憶手段に送ることを特徴とするものも考えられる。
【００６４】
また、本発明にかかる送信データを受信する受信装置については、受信側で、送信側から送信される受信データから変更時刻情報を抽出する変更時刻抽出部と、前記抽出された変更時刻を格納する変更時刻記憶手段と、受信に使用する受信周波数を探索する周波数探索手段と、受信側で計時を行う時計手段と、前記変更時刻記憶手段に格納された変更時刻と時計手段の時刻を比較して一致した場合に前記周波数探索手段を起動する制御部と、前記周波数探索手段で探索された周波数を格納する受信周波数記憶手段とを備えるものも考えられる。
【００６５】
以上のような構成のデータ送受信方法によれば、送信側から、変更または追加で新規に使用する周波数及び使用を開始する時刻を格納したデータを送出し、受信側で変更周波数とその使用開始時刻を検出し、使用開始時刻に到達すれば、受信周波数に設定することで、デジタル放送への移行期に送信側からデジタル放送受信機に対して周波数の再割り当てや周波数の追加の行われる時刻を通知し、受信機側がその周波数変更に対応し、新規の周波数の放送を受信することができる。
【産業上の利用可能性】
【００６６】
本発明により、例えばデータ送受信システムにおいて、伝送周波数の変更または追加に対応し、受信周波数の変更を行うデータ送受信方法及び、その受信装置を提供できる。
【図面の簡単な説明】
【００６７】
【図１】トランスポートストリームに多重された周波数変更情報を示す図
【図２】ＮＩＴのデータ構造を示す図
【図３】実施の形態１における周波数変更情報記述子のデータ構造を示す図
【図４】受信装置の構成を示す図
【図５】実施の形態１における制御部の構成を示す図
【図６】実施の形態１における処理の流れを示す図
【図７】実施の形態２における周波数変更記述子のデータ構造を示す図
【図８】実施の形態２における制御部の構成を示す図
【図９】実施に形態２における処理の流れを示す図
【符号の説明】
【００６８】
１０    受信部
１１    復調部
１２    多重分離部
１３    映像デコード部
１４    デジタルアナログ変換部
１５    映像表示部
１６    音声デコード部
１７    デジタルアナログ変換部
１８    音声出力部
１９    制御部
１０１    周波数変更情報抽出部
１０２    変更周波数記憶部
１０３    変更時刻抽出部
１０４    変更時刻記憶部
１０５    時計部
１０６    比較部
１０７    受信周波数記憶部
２０１    周波数スキャン部
２０２    制御部
【図１】
2004312775.tif 000003
【図２】
2004312775.tif 000004
【図３】
2004312775.tif 000005
【図４】
2004312775.tif 000006
【図５】
2004312775.tif 000007
【図６】
2004312775.tif 000008
【図７】
2004312775.tif 000009
【図８】
2004312775.tif 000010
【図９】
2004312775.tif 000011